(57)【要約】      （修正有）【課題】無接点充電が可能、かつ、充電台に対する逆差しを防止することができるよう構成された口腔内観察装置および該口腔内観察装置を含む口腔内観察システムを提供する。【解決手段】口腔内観察システム１は、検査対象者の口腔内を観察するための口腔内観察装置２と、無接点充電を実行するための送電コイルを収納する本体部３１と、口腔内観察装置２を保持するための受け部３２と、を備える充電台３と、を含む。口腔内観察装置２は、操作者により把持される長尺の把持部２１１と、把持部２１１の基端部内に設けられた充電ユニットと、を備える。把持部２１１は、把持部２１１の長尺方向と直交する平面において、非対称の断面形状を有している。充電台３の受け部３２は、把持部２１１の非対称の断面形状に対応した形状を有する差込口３２２を有している。【選択図】図５
2020171608.tif 000002
【特許請求の範囲】
【請求項１】
検査対象者の口腔内を観察するための口腔内観察システムであって、
前記検査対象者の前記口腔内を観察するための口腔内観察装置と、
無接点充電を実行するための送電コイルを収納する本体部と、前記口腔内観察装置を保持するための受け部と、を備える充電台と、を含み、
前記口腔内観察装置は、
操作者により把持される長尺の把持部と、
前記把持部の先端から前記把持部の長尺方向に延伸し、検査対象者の口腔内に挿入される腕部と、
前記腕部の先端部に設けられ、前記検査対象者の前記口腔内を撮影するためのカメラモジュールと、
前記把持部内に設けられた充電ユニットと、を備え、
前記把持部は、前記把持部の前記長尺方向と直交する平面において、非対称の断面形状を有し、
前記充電台の前記受け部は、前記把持部の前記非対称の断面形状に対応した形状を有する差込口を備え、
前記口腔内観察装置は、前記口腔内観察装置の前記把持部が、前記充電台の前記受け部の前記差込口に挿通され、前記充電台の前記受け部によって前記口腔内観察装置が保持された際、前記充電台の前記送電コイルを用いた前記充電ユニットへの前記無接点充電が実行されるよう構成されていることを特徴とする口腔内観察システム。
【請求項２】
前記充電台の前記受け部は、前記充電台の前記本体部の上側部分から延伸する延伸部と、前記延伸部に形成された前記差込口と、前記本体部の下側部分から前記延伸部と同じ側に延伸する平板状のベースと、を含み、
前記口腔内観察装置は、前記把持部が前記充電台の前記受け部の前記差込口に挿通され、前記把持部の基端部が前記充電台の前記受け部の前記ベース上に載置された状態で、前記充電台の前記受け部により保持される請求項１に記載の口腔内観察システム。
【請求項３】
前記把持部の前記非対称の断面形状は、一方の面が曲線を形成し、他方の面が前記一方の面が形成する前記曲線よりも小さな曲率の曲線を形成する略Ｄ字状の断面形状である請求項１または２に記載の口腔内観察システム。
【請求項４】
前記充電ユニットは、充電可能に構成された２次電池と、前記２次電池に接続された受電コイルと、を備え、
前記充電ユニットの前記受電コイルは、前記口腔内観察装置が前記充電台の前記受け部により保持された状態において、前記充電台の前記送電コイルと対向する請求項３に記載の口腔内観察システム。
【請求項５】
前記充電台の前記本体部は、一方の側面が平面を形成し、他方の側面が曲面を形成する中空の半円錐台形状を有しており、
前記充電ユニットの前記受電コイルは、前記把持部内において、前記把持部の前記他方の面と対向するよう配置されており、
前記充電台の前記送電コイルは、前記充電台の前記本体部内において、前記充電台の前記本体部の前記一方の側面と対向するよう配置されており、
前記口腔内観察装置が前記充電台の前記受け部により保持された状態において、前記把持部の前記他方の面は、前記充電台の前記本体部の前記一方の側面と対向している請求項４に記載の口腔内観察システム。
【請求項６】
前記充電台の前記受け部は、前記口腔内観察装置の前記把持部が鉛直方向に対して傾斜した状態で前記口腔内観察装置を保持するよう構成されており、
前記充電台の前記受け部が前記口腔内観察装置を保持している状態において、重力により前記口腔内観察装置の前記把持部の前記他方の面が、前記充電台の前記本体部の前記一方の側面に押し付けられる請求項５に記載の口腔内観察システム。
【請求項７】
操作者により把持される長尺の把持部と、
前記把持部の先端から前記把持部の長尺方向に延伸し、検査対象者の口腔内に挿入される腕部と、
前記腕部の先端部に設けられ、前記検査対象者の前記口腔内を撮影するためのカメラモジュールと、
前記把持部内に設けられた充電ユニットと、を備え、
前記把持部は、前記把持部の前記長尺方向と直交する平面において、非対称の断面形状を有し、
前記口腔内観察装置は、前記口腔内観察装置の前記把持部が、充電台の受け部の差込口に挿通され、前記充電台の前記受け部によって前記口腔内観察装置が保持された際、前記充電ユニットへの無接点充電が実行されるよう構成されており、
前記充電台の前記受け部の前記差込口は、前記把持部の前記非対称の断面形状に対応した形状を有することを特徴とする口腔内観察装置。
【発明の詳細な説明】
【技術分野】
【０００１】
本発明は、一般に、口腔内観察装置および該口腔内観察装置を含む口腔内観察システムに関し、より具体的には、無接点充電が可能、かつ、充電台に対する逆差しを防止することができるよう構成された口腔内観察装置および該口腔内観察装置を含む口腔内観察システムに関する。
【背景技術】
【０００２】
従来、歯科医師による検査対象者（例えば、患者）の口腔内、特に口腔内の歯および歯茎の状態を観察するための器具として、長尺棒状の本体部と、本体部の先端に設けられた鏡と、を備える口腔鏡が用いられてきた。また、現在、口腔内の状態を検査対象者にも見せるために、口腔内をカメラモジュールで撮影し、撮影した口腔内の画像を、ディスプレイを備える外部機器（例えば、パソコン、スマートフォン）に表示させるための口腔内観察デバイスも、広く用いられている。例えば、特許文献１は、図１に示されているような口腔内観察デバイス５００を開示している。
【０００３】
図１に示されているように、特許文献１の口腔内観察デバイス５００は、歯科医師等の操作者によって把持される長尺の把持部５１０と、把持部５１０の先端から延伸する腕部５２０と、腕部５２０の先端部に設けられたカメラモジュール５３０を有している。操作者は、把持部５１０を把持した状態で、腕部５２０を検査対象者の口腔内に挿入し、カメラモジュール５３０で検査対象者の口腔内を撮影する。このような口腔内観察デバイス５００により撮影された口腔内の画像は、ケーブル５４０を介して、ディスプレイを備える口腔内観察デバイス５００の制御装置に送信され、制御装置のディスプレイ上に表示される。そのため、検査対象者も、制御装置のディスプレイ上に表示された画像を観察することにより、自身の口腔内の状態を確認することができる。
【０００４】
特許文献１の口腔内観察デバイス５００に対する電力の供給は、ケーブル５４０を用いた有線接続によって実行される。口腔内観察デバイス５００を用いて検査対象者の口腔内を観察する際には、腕部５２０を検査対象者の口腔内に挿入した後、カメラモジュール５３０を様々な方向に向けて検査対象者の口腔内の様々な箇所を撮影する必要がある。そのため、口腔内観察デバイス５００の検査対象者の口腔内での操作の自由度は非常に重要である。しかしながら、口腔内観察デバイス５００はケーブル５４０によって制御装置に接続されており、ケーブル５４０によって、口腔内観察デバイス５００の検査対象者の口腔内での操作が阻害されてしまうという問題があった。
【０００５】
このような問題に対処するため、検査対象者の口腔内の画像を無線通信によりディスプレイを備える外部機器に送信すると共に、充電可能な充電ユニットを用いることにより、ワイヤレス化された口腔内観察デバイスが提案されている。図２には、従来のワイヤレスタイプの口腔内観察デバイス６００が示されている。口腔内観察デバイス６００は、取得した検査対象者の口腔内の画像を無線送信によりディスプレイを備える外部機器に送信するよう構成されている。さらに、口腔内観察デバイス６００は、充電ユニットを備えており、口腔内観察デバイス６００の基端部を、充電台７００の受け部７１０に挿入することにより、口腔内観察デバイス６００の充電ユニットに対する充電が実行される。このような構成により、口腔内観察デバイス６００をワイヤレス化することができ、口腔内観察デバイス６００の検査対象者の口腔内での操作の自由度を向上させることができる。
【０００６】
しかしながら、口腔内観察デバイス６００では、口腔内観察デバイス６００の充電ユニットに対する充電が、口腔内観察デバイス６００側のＡＣアダプター端子６１０（図３参照）と充電台７００側のＡＣアダプター端子７２０（図４参照）との接点接続によって実行される。図３は、口腔内観察デバイス６００の底面の構造を示しており、図４は、充電台７００の受け部７１０内の構造を示している。図３および図４から分かるように、口腔内観察デバイス６００の底面からはＡＣアダプター端子６１０が外部に露出しており、充電台７００の受け部７１０からはＡＣアダプター端子７２０が外部に露出している。このように、口腔内観察デバイス６００に対する充電方法として、充電を採用する場合、口腔内観察デバイス６００のＡＣアダプター端子７２０が外部に露出するため、口腔内観察デバイス６００を防水化することができない。口腔内観察デバイス６００は、洗面台のような水場で使用されることが多いが、防水化されていない口腔内観察デバイス６００を水場で用いることは非常に危険である。
【０００７】
また、口腔内観察デバイス６００の把持部は、把持部の長尺方向に直交する平面において、対称の断面形状を有しているため、充電台７００への逆差しが可能である。ヒューマンエラーにより口腔内観察デバイス６００が充電台７００へ逆差しされた場合、口腔内観察デバイス６００側のＡＣアダプター端子６１０と充電台７００側のＡＣアダプター端子７２０とが接続されず、口腔内観察デバイス６００の充電ユニットへの充電が実行されない。そのため、口腔内観察デバイス６００の使用を試みた際に、口腔内観察デバイス６００の充電ユニットが充電されていない事態が発生し得る。このような事態は、口腔内観察デバイス６００のユーザーの製品満足度を著しく低下させてしまう。
【先行技術文献】
【特許文献】
【０００８】
【特許文献１】特開２０１３−７４９２９号公報
【発明の概要】
【発明が解決しようとする課題】
【０００９】
本発明は、上記従来の問題点を鑑みたものであり、その目的は、無接点充電が可能、かつ、充電台に対する逆差しを防止することができるよう構成された口腔内観察装置および該口腔内観察装置を含む口腔内観察システムを提供することにある。
【課題を解決するための手段】
【００１０】
このような目的は、以下の（１）〜（７）の本発明により達成される。
（１）検査対象者の口腔内を観察するための口腔内観察システムであって、
前記検査対象者の前記口腔内を観察するための口腔内観察装置と、
無接点充電を実行するための送電コイルを収納する本体部と、前記口腔内観察装置を保持するための受け部と、を備える充電台と、を含み、
前記口腔内観察装置は、
操作者により把持される長尺の把持部と、
前記把持部の先端から前記把持部の長尺方向に延伸し、検査対象者の口腔内に挿入される腕部と、
前記腕部の先端部に設けられ、前記検査対象者の前記口腔内を撮影するためのカメラモジュールと、
前記把持部内に設けられた充電ユニットと、を備え、
前記把持部は、前記把持部の前記長尺方向と直交する平面において、非対称の断面形状を有し、
前記充電台の前記受け部は、前記把持部の前記非対称の断面形状に対応した形状を有する差込口を備え、
前記口腔内観察装置は、前記口腔内観察装置の前記把持部が、前記充電台の前記受け部の前記差込口に挿通され、前記充電台の前記受け部によって前記口腔内観察装置が保持された際、前記充電台の前記送電コイルを用いた前記充電ユニットへの前記無接点充電が実行されるよう構成されていることを特徴とする口腔内観察システム。
【００１１】
（２）前記充電台の前記受け部は、前記充電台の前記本体部の上側部分から延伸する延伸部と、前記延伸部に形成された前記差込口と、前記本体部の下側部分から前記延伸部と同じ側に延伸する平板状のベースと、を含み、
前記口腔内観察装置は、前記把持部が前記充電台の前記受け部の前記差込口に挿通され、前記把持部の基端部が前記充電台の前記受け部の前記ベース上に載置された状態で、前記充電台の前記受け部により保持される上記（１）に記載の口腔内観察システム。
【００１２】
（３）前記把持部の前記非対称の断面形状は、一方の面が曲線を形成し、他方の面が前記一方の面が形成する前記曲線よりも小さな曲率の曲線を形成する略Ｄ字状の断面形状である上記（１）または（２）に記載の口腔内観察システム。
【００１３】
（４）前記充電ユニットは、充電可能に構成された２次電池と、前記２次電池に接続された受電コイルと、を備え、
前記充電ユニットの前記受電コイルは、前記口腔内観察装置が前記充電台の前記受け部により保持された状態において、前記充電台の前記送電コイルと対向する上記（３）に記載の口腔内観察システム。
【００１４】
（５）前記充電台の前記本体部は、一方の側面が平面を形成し、他方の側面が曲面を形成する中空の半円錐台形状を有しており、
前記充電ユニットの前記受電コイルは、前記把持部内において、前記把持部の前記他方の面と対向するよう配置されており、
前記充電台の前記送電コイルは、前記充電台の前記本体部内において、前記充電台の前記本体部の前記一方の側面と対向するよう配置されており、
前記口腔内観察装置が前記充電台の前記受け部により保持された状態において、前記把持部の前記他方の面は、前記充電台の前記本体部の前記一方の側面と対向している上記（４）に記載の口腔内観察システム。
【００１５】
（６）前記充電台の前記受け部は、前記口腔内観察装置の前記把持部が鉛直方向に対して傾斜した状態で前記口腔内観察装置を保持するよう構成されており、
前記充電台の前記受け部が前記口腔内観察装置を保持している状態において、重力により前記口腔内観察装置の前記把持部の前記他方の面が、前記充電台の前記本体部の前記一方の側面に押し付けられる上記（５）に記載の口腔内観察システム。
【００１６】
（７）操作者により把持される長尺の把持部と、
前記把持部の先端から前記把持部の長尺方向に延伸し、検査対象者の口腔内に挿入される腕部と、
前記腕部の先端部に設けられ、前記検査対象者の前記口腔内を撮影するためのカメラモジュールと、
前記把持部内に設けられた充電ユニットと、を備え、
前記把持部は、前記把持部の前記長尺方向と直交する平面において、非対称の断面形状を有し、
前記口腔内観察装置は、前記口腔内観察装置の前記把持部が、充電台の受け部の差込口に挿通され、前記充電台の前記受け部によって前記口腔内観察装置が保持された際、前記充電ユニットへの無接点充電が実行されるよう構成されており、
前記充電台の前記受け部の前記差込口は、前記把持部の前記非対称の断面形状に対応した形状を有することを特徴とする口腔内観察装置。
【発明の効果】
【００１７】
本発明の口腔内観察システムでは、無接点充電により充電台から口腔内観察装置の充電ユニットに対する充電が実行される。そのため、ＡＣアダプター端子等の充電のための電子部品を口腔内観察装置の本体の外部に露出させる必要がなく、口腔内観察装置を防水化することができる。その結果、洗面台のような水場で口腔内観察装置を使用する際の危険性を除去することができる。また、口腔内観察装置の把持部は、非対称の断面形状を有するよう構成されており、さらに、充電台の受け部は、口腔内観察装置の把持部の非対称の断面形状に対応した形状を有する差込口を有するよう構成されている。このような構成により、本発明の口腔内観察システムでは、充電台の受け部に対する口腔内観察装置の把持部の向き（姿勢）が誤った状態では、充電台の差込口に口腔内観察装置の把持部を挿通させることができない。そのため、充電台に対する口腔内観察装置の逆差しを防止することができる。
【図面の簡単な説明】
【００１８】
【図１】従来技術の口腔内観察装置を示す斜視図である。
【図２】従来技術のワイヤレスタイプの口腔内観察装置を示す斜視図である。
【図３】図２に示す口腔内観察装置の底面の構造を説明するための図である。
【図４】図２に示す充電台の受け部内の構造を説明するための図である。
【図５】本発明の実施形態に係る口腔内観察装置および該口腔内観察装置を含む口腔内観察システムを示す斜視図である。
【図６】図５に示す口腔内観察装置の分解斜視図である。
【図７】図６に示す口腔内観察装置の把持部の基端部の横断面図である。
【図８】図５に示す充電台の分解斜視図である。
【図９】図８に示す充電台の縦断面図である。
【図１０】口腔内観察装置を充電台の受け部で保持した状態における口腔内観察装置および充電台の縦断面図である。
【発明を実施するための形態】
【００１９】
以下、本発明の口腔内観察装置および口腔内観察システムを、添付図面に示す好適な実施形態に基づいて、説明する。なお、以下で参照する各図は、本発明の説明のために用意された模式的な図である。図面に示された各構成要素の寸法（長さ、幅、厚さ等）は、必ずしも実際の寸法を反映したものではない。また、各図において、同一または対応する要素には、同じ参照番号が付されている。
【００２０】
図５は、本発明の実施形態に係る口腔内観察装置および該口腔内観察装置を含む口腔内観察システムを示す斜視図である。図６は、図５に示す口腔内観察装置の分解斜視図である。図７は、図６に示す口腔内観察装置の把持部の基端部の横断面図である。図８は、図５に示す充電台の分解斜視図である。図９は、図８に示す充電台の縦断面図である。図１０は、口腔内観察装置を充電台の受け部で保持した状態における口腔内観察装置および充電台の縦断面図である。
【００２１】
図５に示す口腔内観察システム１は、検査対象者の口腔内を観察するために用いられる。口腔内観察システム１は、検査対象者の口腔内を観察するための口腔内観察装置２と、口腔内観察装置２に対する無接点充電を実行するための充電台３と、を含む。口腔内観察装置２は、検査対象者の口腔内の画像を撮影し、ディスプレイを備える外部機器（例えば、パソコン、スマートフォン）に撮影した画像を送信するために用いられる。口腔内観察装置２は、歯科医師のような検査対象者とは別の人間によって操作されてもよいし、検査対象者自身が自身の口腔内を観察するために、検査対象者自身によって操作されてもよい。口腔内観察装置２の操作者や検査対象者は、外部機器のディスプレイに表示された検査対象者の口腔内の画像を見ることにより、検査対象者の口腔内の状態を確認することができる。
【００２２】
充電台３は、口腔内観察装置２を充電台３によって保持した際に、口腔内観察装置２に対する無接点充電を実行するよう構成されている。充電台３は、無接点充電を実行するための送電コイル３５を収納するための本体部３１と、口腔内観察装置２を保持するための受け部３２と、を備えている。充電台３の受け部３２によって口腔内観察装置２が保持されている状態において、充電台３による口腔内観察装置２の無接点充電が実行される。
【００２３】
最初に、口腔内観察装置２について詳述する。図６に示されているように、口腔内観察装置２は、口腔内観察装置２の各コンポーネントを収納するハウジングとして機能する本体２１と、本体２１内に設けられた基板２２と、検査対象者の口腔内を撮影するためのカメラモジュール２３と、検査対象者の口腔内を照明するための照明モジュール２４と、カメラモジュール２３および照明モジュール２４を制御し、さらに、カメラモジュール２３によって取得された口腔内の画像を無線送信するための制御部２５と、操作者による口腔内観察装置２の操作を可能とするための操作部２６と、充電可能に構成され、口腔内観察装置２の駆動電力を提供するための充電ユニット２７と、カメラモジュール２３および照明モジュール２４と制御部２５との間の接続を提供するためのＦＰＣ（フレキシブルプリント回路）基板２８と、カバーガラス２９ａ、２９ｂと、を備えている。
【００２４】
本体２１は、操作者によって把持される長尺の把持部２１１と、把持部２１１の先端から把持部２１１の長尺方向に延伸し、検査対象者の口腔内に挿入される腕部２１２と、カメラモジュール２３用の第１の開口２１３と、照明モジュール２４用の第２の開口２１４と、を備えている。
【００２５】
本体２１は、全長（本体２１の長尺方向をＺ軸としたときのＺ軸方向の長さ）約２００ｍｍ、把持部２１１に該当する部分の幅（本体２１の長尺方向をＺ軸としたときのＸ軸方向の長さ）約３０ｍｍ、腕部２１２の先端部の幅約７ｍｍのハンドピース状の全体形状を有している。また、図６に示されているように、本体２１は、口腔内観察装置２全体のベースとして機能する下側部分２１ａと、口腔内観察装置２全体のカバーとして機能する上側部分２１ｂとから構成されており、本体２１の下側部分２１ａと上側部分２１ｂとの間に形成されるスペースに、口腔内観察装置２の各コンポーネントが収納される。本体２１の把持部２１１および腕部２１２は、一体的に形成されている。このような本体２１は、樹脂材料により形成することができる。
【００２６】
図７は、把持部２１１の延伸方向と直交する平面における、本体２１の把持部２１１の基端部の横断面図を示している。図７に示されているように、本発明の口腔内観察装置２では、本体２１の把持部２１１は、把持部２１１の延伸方向と直交する平面（図中のＸＹ平面）において、非対称の断面形状を有するよう構成されている。より具体的には、本体２１の把持部２１１は、把持部２１１の延伸方向と直交する平面において、一方の面２１１ａが曲線を形成し、他方の面２１１ｂが、一方の面２１１ａが形成する曲線よりも小さな曲率の曲線を形成し、一方の面２１１ａ側と他方の面２１１ｂ側とで非対称な略Ｄ字状の断面形状を有するよう構成されている。
【００２７】
把持部２１１の基端部の断面形状は、把持部２１１の延伸方向に沿って略一定である。そのため、本体２１の腕部２１２の一方の面２１１ａは、曲面を形成しており、他方の面２１１ｂは、一方の面２１１ａが形成する曲面よりも小さな曲率の曲面を形成している。このように、把持部２１１は、一方の面２１１ａ側と他方の面２１１ｂ側とで非対称な形状を有している。本体２１の把持部２１１の一方の面２１１ａおよび他方の面２１１ｂは滑らかな曲面を形成しているため、口腔内観察装置２の操作者が口腔内観察装置２の把持部２１１を把持した際に高いフィット感を操作者に与えることができる。
【００２８】
図６に戻り、腕部２１２は、把持部２１１よりも小さな径を有しており、把持部２１１の先端から把持部２１１の長尺方向（＋Ｚ方向）に延伸している。腕部２１２は、口腔内観察装置２を用いて検査対象者の口腔内を観察する際に、検査対象者の口腔内に挿入される。腕部２１２の先端部には第１の開口２１３および第２の開口２１４が形成されている。第１の開口２１３および第２の開口２１４は、腕部２１２の先端部において、本体２１の把持部２１１の長尺方向に対して直交する方向（＋Ｙ方向）に開口している。カメラモジュール２３は、第１の開口２１３を介して本体２１の外部を撮影し、照明モジュール２４は、第２の開口２１４を介して本体２１の外部を照明する。
【００２９】
基板２２は、本体２１の内部に固定的に設けられており、基板２２上に制御部２５、操作部２６、および充電ユニット２７が搭載されている。基板２２上に形成された配線を介して、制御部２５、操作部２６、および充電ユニット２７が互いに有線接続されている。
【００３０】
カメラモジュール２３は、検査対象者の口腔内を撮影する機能を有している。カメラモジュール２３は、腕部２１２の先端部内部に設けられており、腕部２１２の先端部に形成された第１の開口２１３を介して本体２１の外部を撮影する。照明モジュール２４は、ＬＥＤライト等の任意の照明手段であり、検査対象者の口腔内を照明する機能を有している。照明モジュール２４は、腕部２１２の先端部内部であって、カメラモジュール２３よりも腕部２１２の基端側（−Ｚ方向側）の位置に設けられており、腕部２１２の先端部に形成された第２の開口２１４を介して本体２１の外部を照明する。カメラモジュール２３および照明モジュール２４を駆動するための電力は、制御部２５を介して、または、充電ユニット２７から直接供給される。
【００３１】
カメラモジュール２３用の第１の開口２１３は、カバーガラス２９ａによって液密に封止されている。同様に、照明モジュール２４用の第２の開口２１４は、カバーガラス２９ｂによって液密に封止されている。そのため、第１の開口２１３および第２の開口２１４を介して、水等の液体が本体２１内に侵入しない。
【００３２】
カメラモジュール２３および照明モジュール２４は、ＦＰＣ基板２８上に形成された配線を介して制御部２５に電気的に接続されており、制御部２５からの制御によって所望のタイミングで駆動する。口腔内観察装置２の使用時において、操作者によって口腔内観察装置２の腕部２１２が検査対象者の口腔内に挿入され、照明モジュール２４が検査対象者の口腔内を照明すると共に、カメラモジュール２３が検査対象者の口腔内を撮影する。カメラモジュール２３によって取得された検査対象者の口腔内の画像は、制御部２５に送信される。
【００３３】
制御部２５は、カメラモジュール２３および照明モジュール２４を制御し、さらに、カメラモジュール２３によって取得された口腔内の画像を無線送信する機能を有している。制御部２５は、口腔内観察装置２のカメラモジュール２３および照明モジュール２４に有線接続されており、制御部２５から送信される信号に応じて、カメラモジュール２３および照明モジュール２４が駆動する。制御部２５を駆動するための電力は、充電ユニット２７から供給される。
【００３４】
制御部２５は、演算処理を実行するための１つ以上のプロセッサーと、口腔内観察装置２の制御を行うために必要なデータ、プログラム、モジュール等のコンピューター可読命令を保存しているメモリーとを備えており、制御部２５のプロセッサーは、メモリー内に保存されているコンピューター可読命令を用いることにより、口腔内観察装置２の各コンポーネントの制御を実行することができる。また、制御部２５は、無線送信ユニット（図示せず）を含んでおり、無線送信ユニットを用いることにより、カメラモジュール２３によって取得された口腔内の画像の無線送信を外部機器に無線送信することができる。このような無線送信ユニットは、口腔内の画像を外部機器に無線送信することができれば特に限定されないが、例えば、制御部２５は、ＢＬＥ（Ｂｌｕｅｔｏｏｔｈ（登録商標）  Ｌｏｗ  Ｅｎｅｒｒｇｙ）無線通信技術を利用した無線送信ユニットを用いることができる。
【００３５】
制御部２５のプロセッサーは、例えば、１つ以上のマイクロプロセッサー、マイクロコンピューター、マイクロコントローラー、デジタル信号プロセッサー（ＤＳＰ）、中央演算処理装置（ＣＰＵ）、メモリーコントロールユニット（ＭＣＵ）、画像処理用演算処理装置（ＧＰＵ）、状態機械、論理回路、特定用途向け集積回路（ＡＳＩＣ）、またはこれらの組み合わせ等のコンピューター可読命令に基づいて信号操作等の演算処理を実行する演算ユニットである。
【００３６】
制御部２５のメモリーは、揮発性記憶媒体（例えば、ＲＡＭ、ＳＲＡＭ、ＤＲＡＭ）、不揮発性記憶媒体（例えば、ＲＯＭ、ＥＰＲＯＭ、ＥＥＰＲＯＭ、フラッシュメモリー）、またはこれらの組み合わせを含む着脱式または非着脱式のコンピューター可読媒体である。
【００３７】
操作者が本体２１の把持部２１１から外部に露出している操作部２６を操作し、口腔内観察装置２による検査対象者の口腔内の撮影を開始すると、操作部２６からの信号に応じて制御部２５がカメラモジュール２３および照明モジュール２４を駆動し、検査対象者の口腔内の画像を撮影する。カメラモジュール２３によって口腔内の画像が取得され、制御部２５に送信されると、制御部２５は、取得した口腔内の画像を、ディスプレイを備える外部機器に無線送信する。カメラモジュール２３による口腔内の画像の取得および制御部２５による口腔内の画像の無線送信は、リアルタイムで実行される。なお、制御部２５は、取得した口腔内の画像を無線送信する前に、取得した口腔内の画像に対してホワイトバランス処理等の任意の画像処理を施すよう構成されていてもよい。
【００３８】
操作部２６は、操作者による口腔内観察装置２の操作を実現するために用いられる。操作部２６としては、ボタン、スイッチ、スライドバー、タッチパネル等を用いることができるが、本実施形態では、操作部２６は、口腔内観察装置２の電源のオン／オフを実行するための電源ボタン２６ａと、ディスプレイを備える外部機器に対して信号を無線送信するための信号送信ボタン２６ｂと、を含む。電源ボタン２６ａおよび信号送信ボタン２６ｂは、本体２１の把持部２１１の開口を介して把持部２１１の外部に露出しており、操作者は、本体２１の把持部２１１を把持した状態で、電源ボタン２６ａおよび信号送信ボタン２６ｂを操作することができる。電源ボタン２６ａおよび信号送信ボタン２６ｂは、制御部２５と電気的に接続されており、電源ボタン２６ａおよび信号送信ボタン２６ｂに対する操作者による入力が、制御部２５に送信される。なお、電源ボタン２６ａおよび信号送信ボタン２６ｂを把持部２１１の外部に露出させるための開口は、それぞれ電源ボタン２６ａおよび信号送信ボタン２６ｂの形状に対応した形状を有しており、把持部２１１の外部に露出する部分の下に封止部２６１が形成されている。電源ボタン２６ａおよび信号送信ボタン２６ｂのそれぞれの封止部２６１は、把持部２１１の外部に露出する部分よりも大きなサイズを有している。そのため、口腔内観察装置２を組み立てた状態において、電源ボタン２６ａおよび信号送信ボタン２６ｂを把持部２１１の外部に露出させるための開口を介して、本体２１内に水等の液体が浸入しないようになっている。
【００３９】
口腔内観察装置２の操作者は、操作部２６の電源ボタン２６ａを押下することにより、口腔内観察装置２による検査対象者の口腔内の観察を開始および終了させることができる。口腔内観察装置２の電源がオフの状態で電源ボタン２６ａが押下されると、口腔内観察装置２の電源がオンになり、カメラモジュール２３および照明モジュール２４が駆動され、口腔内観察装置２による検査対象者の口腔内の撮影が開始される。この状態において、制御部２５は、カメラモジュール２３によって取得された検査対象者の口腔内の画像を、外部機器へリアルタイムで無線送信する。一方、口腔内観察装置２の電源がオンの状態で電源ボタン２６ａが押下されると、口腔内観察装置２の電源がオフとなり、口腔内観察装置２による検査対象者の口腔内の撮影が終了する。
【００４０】
さらに、口腔内観察装置２の電源がオンの状態において、口腔内観察装置２の操作者が操作部２６の信号送信ボタン２６ｂを押下すると、制御部２５によって、ディスプレイを備える外部機器に信号が無線送信される。信号送信ボタン２６ｂを押下することによって無線送信された信号を受信した外部機器は、信号を受信したタイミングでディスプレイに表示されている画像を保存する（シャッター動作の実行）、ディスプレイに表示されている画像に対するズームイン動作またはズームアウト動作を実行する等の事前に規定された動作を実行する。
【００４１】
なお、本実施形態では、操作部２６は電源ボタン２６ａおよび信号送信ボタン２６ｂを含んでいるが、本発明はこれに限られない。操作部２６が、電源ボタン２６ａおよび信号送信ボタン２６ｂに加えて、口腔内観察装置２の操作に必要な任意の数のスイッチ、ボタン等の操作手段を備えているような態様も、本発明の範囲内である。
【００４２】
充電ユニット２７は、無接点充電可能に構成され、口腔内観察装置２の駆動電力を提供する。充電ユニット２７は、充電可能に構成された２次電池２７１と、磁性材料から構成されたボビン２７２と、充電台３の送電コイル３５と対になる受電コイル２７３と、を備えている。充電ユニット２７は、本体２１の把持部２１１内において、基板２２上に設けられている。
【００４３】
２次電池２７１は、リチウムイオン２次電池等の充電可能な電池であり、制御部２５を介して間接的に、または、直接的に、口腔内観察装置２のカメラモジュール２３および照明モジュール２４に対して駆動電力を提供する。図６に示されているように、２次電池２７１は、基板２２の−Ｙ方向側の面上に設けられている。
【００４４】
ボビン２７２は、磁性材料から構成されており、本体２１の把持部２１１の基端部内において、スペーサー２７４を介して基板２２の＋Ｙ方向側の面上に固定的に設けられている。受電コイル２７３は、ボビン２７２の周りに銅線を巻き付けることにより構成されており、本体２１の把持部２１１の基端部内において、基板２２の＋Ｙ方向側の面上に設けられている。図７に示されているように、本体２１の把持部２１１の基端部内において、受電コイル２７３は、受電コイル２７３の上面が把持部２１１の他方の面２１１ｂと対向する。なお、本明細書において、受電コイル２７３の上面とは、受電コイル２７３を構成するためにボビン２７２に巻き付けられて形成された銅線の複数の層のうち、把持部２１１の他方の面２１１ｂと近接して対向する最も外側の層によって規定される面を指す。一方、受電コイル２７３の底面は、把持部２１１の基端部内において、ボビン２７２およびスペーサー２７４を介して、基板２２と対向している。
【００４５】
このように、本発明の口腔内観察装置２においては、充電ユニット２７の受電コイル２７３の上面または底面が、把持部２１１の底面ではなく、他方の面２１１ｂと対向するよう、縦置きされている。受電コイル２７３を、受電コイル２７３の底面が把持部２１１の底面に対向するよう横置きした場合、受電コイル２７３のサイズ（径）は、把持部２１１の底面のサイズに規制されてしまう。一方、図７に示されているように、受電コイル２７３を、受電コイル２７３の上面が把持部２１１の他方の面２１１ｂと対向するよう縦置きした場合、受電コイル２７３のサイズ（径）は、把持部２１１の底面のサイズに規制されない。そのため、本発明の口腔内観察装置２においては、より大きなサイズの受電コイル２７３を把持部２１１内に設けることができる。このようなより大きなサイズの受電コイル２７３を使用することにより、無接点充電の効率化および高速化を実現することができる。
【００４６】
受電コイル２７３の両端部（端子）は、２次電池２７１に接続されており、受電コイル２７３内に交流電流が発生すると、電力が２次電池２７１に供給され、２次電池２７１の充電が実行される。図１０に示されているように、口腔内観察装置２が充電台３の受け部３２で保持されている状態において、充電ユニット２７の受電コイル２７３は、充電台３の送電コイル３５と対向する。充電台３の送電コイル３５内に交流電流が流れると相互誘導により充電ユニット２７の受電コイル２７３内に交流電流が流れる。その結果、２次電池２７１に電力が供給され、２次電池２７１が無接点充電される。このように、口腔内観察装置２は、充電ユニット２７の２次電池２７１に対する無接点充電を実行可能に構成されている。そのため、口腔内観察装置２では、２次電池２７１を充電するためのＡＣアダプター端子等の電気的部品を本体２１の外部に露出する必要がない。本実施形態の口腔内観察装置２では、如何なる電子部品も本体２１から露出していない。そのため、口腔内観察装置２は防水化されており、洗面台のような水場で口腔内観察装置２を安全に使用することが可能となっている。
【００４７】
次に、充電台３について詳述する。図８に示されているように、充電台３は、本体部３１と、口腔内観察装置２を保持するための受け部３２と、本体部３１内に設けられた基板３３と、基板３３上に形成されたボビン３４と、ボビン３４を囲むように設けられた送電コイル３５と、交流電源と送電コイル３５との間の電気的接続を提供するための接続ケーブル３６と、を備えている。
【００４８】
本体部３１は、基板３３、ボビン３４、および送電コイル３５を内部に収納する機能を有している。本体部３１は、中空の半円錐台形状を有しており、本体部３１の大きさは、基端側（−Ｚ方向側）から先端側（＋Ｚ方向側）に向けて漸減している。本体部３１の一方の側面３１１は平面を形成しており、他方の側面３１２は、曲面を形成している。本体部３１の底面には底板３１３が固定され、本体部３１の内側面と、底板３１３とによって規定される空間内に基板３３、ボビン３４、および送電コイル３５が収納される。
【００４９】
また、図９に示されているように、本体部３１の上面は、他方の側面３１２側から一方の側面３１１側に向かって下方（−Ｚ方向）に傾斜するスロープを形成している。また、充電台３からは、基板３３に電気的に接続された接続ケーブル３６が外部に露出しており、接続ケーブル３６を介して、交流電源から基板３３上に搭載された送電コイル３５に交流電流が供給される。
【００５０】
受け部３２は、口腔内観察装置２を保持するために用いられる。図１０に示されているように、受け部３２によって口腔内観察装置２が保持された状態において、口腔内観察装置２の把持部２１１の他方の面２１１ｂが充電台３の本体部３１の一方の側面３１１に対向し、口腔内観察装置２の把持部２１１の一方の面２１１ａが充電台３の本体部３１とは反対側を向く。図８に戻り、受け部３２は、本体部３１の上側部分から延伸する延伸部３２１と、延伸部３２１に形成された差込口３２２と、本体部３１の下側部分から延伸部３２１と同じ側に延伸する平板状のベース３２３と、を含んでいる。
【００５１】
延伸部３２１は、本体部３１の上側部分から延伸する平板状部材である。図９に示されているように、延伸部３２１は、本体部３１の上側部分から、本体部３１の上面の傾斜と同じ角度で、斜め下に向かって延伸している。差込口３２２は、延伸部３２１上に形成され、口腔内観察装置２の把持部２１１の非対称の断面形状に対応した形状を有する開口である。差込口３２２は、差込口３２２の形状が、口腔内観察装置２の把持部２１１の非対称の断面形状と同じ、かつ、口腔内観察装置２の把持部２１１の非対称の断面形状よりもわずかに大きくなるよう形成されている。そのため、口腔内観察装置２の把持部２１１の基端部を、差込口３２２に挿入することが可能となっている。
【００５２】
また、差込口３２２の形状は、口腔内観察装置２の把持部２１１の非対称の断面形状に対応しているため、差込口３２２に対する口腔内観察装置２の向き（姿勢）が所定の向きと完全に一致する場合にのみ、口腔内観察装置２の把持部２１１の基端部を差込口３２２に挿通させることが可能となっている。そのため、充電台３に対する口腔内観察装置２の逆差しを防止することができる。具体的には、本実施形態では、口腔内観察装置２の把持部２１１は、把持部２１１の延伸方向と直交する平面において、一方の面２１１ａ側と他方の面２１１ｂ側とで非対称な略Ｄ字状の断面形状を有し、さらに、充電台３の差込口３２２は把持部２１１の略Ｄ字状の断面形状に対応する形状を有している。そのため、口腔内観察装置２の把持部２１１の他方の面２１１ｂが充電台３の本体部３１の反対側を向き、口腔内観察装置２の把持部２１１の一方の面２１１ａが充電台３の本体部３１の一方の側面３１１と対向するような姿勢で、充電台３の差込口３２２に口腔内観察装置２の把持部２１１の基端部を挿通させることができないようになっている。また、差込口３２２の形状は、口腔内観察装置２の把持部２１１の非対称の断面形状に対応しているため、口腔内観察装置２が充電台３の受け部３２によって保持されている状態における口腔内観察装置２の回転や揺動が差込口３２２によって防止されている。
【００５３】
ベース３２３は、本体部３１の下側部分から延伸部３２１と同じ側に延伸する平板状の部材であり、口腔内観察装置２が受け部３２によって保持された状態において、口腔内観察装置２の把持部２１１の基端部がベース３２３上に載置される。ベース３２３の上面は、充電台３の本体部３１に近い側から遠ざかる側に向けて下方（−Ｚ方向）に傾斜するスロープを形成している。また、ベース３２３の上面には、口腔内観察装置２の把持部２１１の基端部を受けるための凹部３２４が形成されている。図１０に示されているように、差込口３２２に、口腔内観察装置２の把持部２１１が挿通され、口腔内観察装置２の把持部２１１の基端部がベース３２３の凹部３２４内に載置された状態で、口腔内観察装置２が受け部３２によって保持される。
【００５４】
このような構成を有する充電台３では、受け部３２の差込口３２２が、口腔内観察装置２の把持部２１１を支持する。そのため、図２〜図４に示した従来技術の口腔内観察システムのように、ベース３２３上に口腔内観察装置２の把持部２１１を支持するための受け皿のような突出物を設ける必要がない。そのため、本発明の口腔内観察システム１では、充電台３のベース３２３上に受け皿のような突起物が存在しない。また、ベース３２３の上面は、上述のように、下方に傾斜するスロープを形成している。そのため、水洗いされた口腔内観察装置２を充電台３の受け部３２によって保持しても、水は充電台３のベース３２３から流れ出ていき、ベース３２３内に溜まることはない。また、ベース３２３の上面に形成されている凹部３２４の底面も、ベース３２３の上面と同様に、充電台３の本体部３１に近い側から遠ざかる側に向けて下方に傾斜するよう形成されている。そのため、凹部３２４内に水が流れ込んでも、凹部３２４内に水が溜まらないようになっている。
【００５５】
さらに、延伸部３２１とベース３２３との間には、他の構造物が存在していないため、ベース３２３の上面および凹部３２４内に対する拭き掃除を実行するのが容易である。そのため、口腔内観察装置２を水場で使用しても、ベース３２３上には水が留まらず、さらに、ベース３２３の上面に対する拭き掃除が容易なため、ベース３２３上に水垢が発生することを防止することができる。
【００５６】
基板３３は、平板形状を有し、図８に示されているように、本体部３１内において、一方の面が本体部３１の側面３１１に対向し、他方の面が本体部の側面３１２に対向するよう、底板３１３上に縦置きされている。基板３３の本体部３１の側面３１１と対向する面上には、磁性材料から構成されたボビン３４が設けられている。送電コイル３５は、ボビン３４の周りに銅線を巻き付けることにより構成されており、図９に示されているように、本体部３１の内部において、送電コイル３５の上面が本体部３１の側面３１１に対向するよう設けられている。送電コイル３５は、口腔内観察装置２の充電ユニット２７の受電コイル２７３と略同じ大きさを有している。送電コイル３５の巻き数と、口腔内観察装置２の充電ユニット２７の受電コイル２７３の巻き数との比は、必要とされる口腔内観察装置２の充電ユニット２７の２次電池２７１に対する充電速度や２次電池２７１の容量等を考慮して適宜設定される。
【００５７】
図９に示されているように、送電コイル３５は、本体部３１内において、送電コイル３５の上面が本体部３１の側面３１１に対向するよう設けられている。そのため、送電コイル３５は、充電台３の本体部３１内において縦置きされており、送電コイル３５の高さ方向（送電コイル３５を構成する銅線の積層方向）と、充電台３の本体部３１の高さ方向とが異なっている。なお、本明細書において、送電コイル３５の上面とは、送電コイル３５を構成するためにボビン３４に巻き付けられて形成された銅線の複数の層のうち、本体部３１の側面３１１に近接して対向する最も外側の層によって規定される面を指す。なお、送電コイル３５の底面は、ボビン３４を介して、基板３３に対向している。
【００５８】
送電コイル３５は、本体部３１内において、送電コイル３５の上面または底面が本体部３１の底面と対向するよう横置きされておらず、送電コイル３５の上面が本体部３１の側面３１１と対向するよう縦置きされている。送電コイル３５を、送電コイル３５の底面が本体部３１の底面と対向するように横置きした場合、送電コイル３５のサイズ（径）は、本体部３１の底面のサイズに規制されてしまうが、送電コイル３５を、送電コイル３５の上面が本体部３１の側面３１１と対向するよう縦置きした場合、送電コイル３５のサイズ（径）は、本体部３１の底面のサイズに規制されない。そのため、より大きなサイズの送電コイル３５を本体部３１内に設けることができる。より大きなサイズの送電コイル３５を使用することにより、口腔内観察装置２の充電ユニット２７への無接点充電の効率化および高速化を実現することができる。
【００５９】
送電コイル３５の両端部（端子）は、基板３３上に形成された配線に接続されている。接続ケーブル３６は、基板３３上に形成された配線に接続されており、交流電源と基板３３との電気的接続を提供するために用いられる。接続ケーブル３６および基板３３を介して、交流電源から交流電流が送電コイル３５に供給される。図１０に示されているように、口腔内観察装置２が充電台３の受け部３２によって保持されている状態において、口腔内観察装置２の充電ユニット２７の受電コイル２７３と、充電台３の送電コイル３５とは対向している。そのため、この状態において交流電源から充電台３の送電コイル３５に交流電流が供給されると、送電コイル３５の中央開口部を貫く磁束が発生し、該磁束が口腔内観察装置２の充電ユニット２７の受電コイル２７３の中央開口部を貫く。この際、受電コイル２７３内に交流電流が発生し、口腔内観察装置２の充電ユニット２７の２次電池２７１を無接点充電することができる。
【００６０】
図１０に示されているように、充電台３の受け部３２の延伸部３２１は、本体部３１の上側部分から斜め下に向かって延伸している。そのため、口腔内観察装置２を充電台３の受け部３２で保持した状態において、口腔内観察装置２の把持部２１１は、鉛直方向に対して傾斜している。このように、充電台３の受け部３２は、口腔内観察装置２の把持部２１１が鉛直方向に対して傾斜した状態で、口腔内観察装置２を保持するよう構成されている。口腔内観察装置２が充電台３の受け部３２で保持されている状態では、口腔内観察装置２の把持部２１１が鉛直方向に対して傾斜しているので、重力により口腔内観察装置２の把持部２１１の面２１１ｂが、充電台３の本体部３１の側面３１１に押し付けられ、密着する。
【００６１】
上述のように口腔内観察装置２の充電ユニット２７の受電コイル２７３は、把持部２１１の基端部内において、受電コイル２７３の上面が把持部２１１の面２１１ｂと対向するように設けられており、さらに、充電台３の送電コイル３５は、本体部３１内において、送電コイル３５の上面が本体部３１の側面３１１と対向するように設けられている。そのため、重力により口腔内観察装置２の把持部２１１の面２１１ｂが充電台３の本体部３１の側面３１１に押し付けられ、密着すると、口腔内観察装置２の充電ユニット２７の受電コイル２７３と充電台３の送電コイル３５とが最接近した状態で対向する。このような構成により、ユーザーの口腔内観察装置２の充電台３へのセット方法に関わらず、確実に、口腔内観察装置２の充電ユニット２７の受電コイル２７３と充電台３の送電コイル３５とを、最接近した状態で対向させることができる。この結果、ユーザーの口腔内観察装置２の充電台３へのセットの方法に関わらず、常に最大の効率で口腔内観察装置２の充電ユニット２７への無接点充電を実行することができる。
【００６２】
このように、本発明の口腔内観察システム１では、無接点充電により口腔内観察装置２の充電ユニット２７の２次電池２７１に対する充電が実行される。そのため、ＡＣアダプター端子等の２次電池２７１を充電するための電子部品を口腔内観察装置２の本体２１の外部に露出させる必要がなく、口腔内観察装置２を防水化することができる。その結果、洗面台のような水場で口腔内観察装置２を使用する際の危険性を除去することができる。また、口腔内観察装置２の把持部２１１は、非対称の断面形状を有するよう構成されており、さらに、充電台３の受け部３２は、口腔内観察装置２の把持部２１１の非対称の断面形状に対応した形状を有する差込口３２２を有するよう構成されている。このような構成により、本発明の口腔内観察システム１では、口腔内観察装置２の把持部２１１の向きが誤った状態では、充電台３の差込口３２２に口腔内観察装置２の把持部２１１を挿通させることができない。そのため、充電台３に対する口腔内観察装置２の逆差しを防止することができる。
【００６３】
なお、上述の態様では、口腔内観察装置２の把持部２１１は、把持部２１１の延伸方向と直交する平面において、一方の面２１１ａ側と他方の面２１１ｂ側とで非対称な略Ｄ字状の断面形状を有するよう構成されていたが、把持部２１１の延伸方向と直交する平面における口腔内観察装置２の把持部２１１の断面形状が非対称である限り、本発明はこれに限られない。例えば、口腔内観察装置２の把持部２１１が、把持部２１１の延伸方向と直交する平面において、一方の面２１１ａ側から他方の面２１１ｂ側に向かって幅が漸増する台形状の断面形状等の任意の非対称の断面形状を有し、充電台３の差込口３２２が口腔内観察装置２の把持部２１１の非対称の断面形状に対応する形状を有しているような態様も、本発明の範囲内である。
【００６４】
以上、本発明の口腔内観察装置および口腔内観察システムを図示の実施形態に基づいて説明したが、本発明は、これに限定されるものではない。本発明の各コンポーネントの構成は、同様の機能を発揮し得る任意のものと置換することができ、あるいは、本発明の構成に任意の構成のものを付加することができる。また、本発明の属する分野および技術における当業者であれば、本発明の原理、考え方、および範囲から有意に逸脱することなく、記述された本発明の口腔内観察装置および口腔内観察システムの構成の変更を実行可能であろうし、変更された構成を有する口腔内観察デバイスおよび口腔内観察システムもまた、本発明の範囲内である。
【００６５】
例えば、図５〜図１０に示された口腔内観察装置および充電台のコンポーネントの数や種類は、説明のための例示にすぎず、本発明は必ずしもこれに限られない。本発明の原理および意図から逸脱しない範囲において、任意のコンポーネントが追加若しくは組み合わされ、または任意のコンポーネントが削除された態様も、本発明の範囲内である。また、口腔内観察デバイスおよび充電台の各コンポーネントは、ハードウェア的に実現されていてもよいし、ソフトウェア的に実現されていてもよいし、これらの組み合わせによって実現されていてもよい。
【符号の説明】
【００６６】
１…口腔内観察システム  ２…口腔内観察装置  ２１…本体  ２１ａ…下側部分  ２１ｂ…上側部分  ２１１…把持部  ２１１ａ…面  ２１１ｂ…面  ２１２…腕部  ２１３…第１の開口  ２１４…第２の開口  ２２…基板  ２３…カメラモジュール  ２４…照明モジュール  ２５…制御部  ２６…操作部  ２６ａ…電源ボタン  ２６ｂ…信号送信ボタン  ２６１…封止部  ２７…充電ユニット  ２７１…２次電池  ２７２…ボビン  ２７３…受電コイル  ２７４…スペーサー  ２８…ＦＰＣ基板  ２９ａ、２９ｂ…カバーガラス  ３…充電台  ３１…本体部  ３１１…一方の側面  ３１２…他方の側面  ３１３…底板  ３２…受け部  ３２１…延伸部  ３２２…差込口  ３２３…ベース  ３２４…凹部  ３３…基板  ３４…ボビン  ３５…送電コイル  ３６…接続ケーブル  ５００…口腔内観察デバイス  ５１０…把持部  ５２０…腕部  ５３０…カメラモジュール  ５４０…ケーブル  ６００…口腔内観察デバイス  ６１０…ＡＣアダプター端子  ７００…充電台  ７１０…受け部  ７２０…ＡＣアダプター端子
【図１】
2020171608.tif 000003
【図２】
2020171608.tif 000004
【図３】
2020171608.tif 000005
【図４】
2020171608.tif 000006
【図５】
2020171608.tif 000007
【図６】
2020171608.tif 000008
【図７】
2020171608.tif 000009
【図８】
2020171608.tif 000010
【図９】
2020171608.tif 000011
【図１０】
2020171608.tif 000012